(57)【要約】【課題】本発明は、装身具連結用アセンブリに関する。【解決手段】本発明は、両端部に形成された締結孔が互いに対向して一直線上に配置される連結用本体と、両端部が前記締結孔に結合する両端貫通の連結ピンと、前記連結ピンの一端部に備えられ、前記連結ピンの他端部側から一端部側に向かって徐々に直径が拡大するように形成されて、前記連結用本体の両端部の締結孔の一つに係止固定される第１拡径部と、を含むことを特徴とし、比較的簡単な構成で作製が簡単であり、堅固な締結状態の維持が可能な装身具連結用アセンブリに関する。【選択図】  図１
2016527956.tif 000002
【特許請求の範囲】
【請求項１】
両端部に形成された締結孔が互いに対向して一直線上に配置される連結用本体と、
両端部が前記締結孔に結合する両端貫通の連結ピンと、
前記連結ピンの一端部に備えられ、前記連結ピンの他端部側から一端部側に向かって徐々に直径が拡大するように形成されて、前記連結用本体の両端部の締結孔の一つに係止固定される第１拡径部と、を含むことを特徴とする、装身具連結用アセンブリ。
【請求項２】
前記連結ピンの他端部は、前記連結用本体の両端部の締結孔の他の一つに結合し直径が拡大して固定されることを特徴とする、請求項１に記載の装身具連結用アセンブリ。
【請求項３】
前記連結用本体は、
一端部に前記締結孔が形成されて互いに平行に配置される一対の連通片と、
前記連通片それぞれの他端部を互いに連結する円弧状の連結片と、を含み、
前記連結ピンの一端部は、前記一対の連通片の一つの連通片の外側から挿入されることを特徴とする、請求項１に記載の装身具連結用アセンブリ。
【請求項４】
前記連結用本体は、
一端部に前記締結孔が形成されて互いに平行に配置され、前記連結ピンの両端部を固定する一対の連通片と、
前記連通片それぞれの外面から形成され、前記締結孔の縁部から内側に向かって徐々に狭く形成される傾斜案内部と、を含み、
前記傾斜案内部は、前記連結ピンの一端部に形成された第１拡径部の形状に対応することを特徴とする、請求項１に記載の装身具連結用アセンブリ。
【請求項５】
前記連結ピンの他端部が前記傾斜案内部に対応して圧力を受けて変形されて、前記第１拡径部と同一の形状を有する第２拡径部が生成されることを特徴とする、請求項４に記載の装身具連結用アセンブリ。
【請求項６】
前記傾斜案内部の外側端部の直径は、前記連結ピンの外径よりも大きく、
前記傾斜案内部の内側端部の直径は、前記連結ピンの外径よりも大きいか同一であることを特徴とする、請求項４に記載の装身具連結用アセンブリ。
【請求項７】
前記連結用本体と前記連結ピンが互いに結合して、ジッパースライダーと引手とを互いに連結することを特徴とする、請求項１に記載の装身具連結用アセンブリ。
【請求項８】
前記連結用本体と前記連結ピンが互いに結合して、ホック連結具と連結ストラップまたは連結バンドとを互いに連結することを特徴とする、請求項１に記載の装身具連結用アセンブリ。
【発明の詳細な説明】
【技術分野】
【０００１】
本発明は、装身具連結用アセンブリに関し、より詳細には、比較的簡単な構成で作製が簡単であり、堅固な締結状態の維持が可能な装身具連結用アセンブリに関する。
【背景技術】
【０００２】
一般的に、スーツケースやカバンなどの雑貨には、ジッパーや連結ストラップなどを引手と連結するためにリング状の連結具を作製して使用する場合がほとんどである。
【０００３】
かかる連結具は、通常、「Ｕ」状、「Ｃ」状または「コ」状などの連結本体に内蔵されたばねで両端部が伸縮可能に支持される連結ピンが連結本体の両端部に弾性支持されてジッパースライドと引手を互いに連結したり、カバンのストラップとカバンの本体を互いに連結するなどの用途に活用されるものである。
【０００４】
しかし、かかる既存の連結具は、長時間の使用によって連結ピンに内蔵されたばねの弾性支持力が弱化し、外部衝撃などによって分離し易いという問題点があった。
【０００５】
したがって、比較的簡単な構成でも堅固な締結力の維持が可能な道具および装置の開発が切実に求められている。
【発明の概要】
【発明が解決しようとする課題】
【０００６】
本発明は、前記のような問題点を改善するために発明されたものであり、比較的簡単な構成で作製が簡単であり、堅固な締結状態の維持が可能な装身具連結用アセンブリを提供するためのものである。
【課題を解決するための手段】
【０００７】
前記のような目的を達成するために、本発明は、両端部に形成された締結孔が互いに対向して一直線上に配置される連結用本体と、両端部が前記締結孔に結合する両端貫通の連結ピンと、前記連結ピンの一端部に備えられ、前記連結ピンの他端部側から一端部側に向かって徐々に直径が拡大するように形成されて、前記連結用本体の両端部の締結孔の一つに係止固定される第１拡径部と、を含むことを特徴とする装身具連結用アセンブリを提供することができる。
【０００８】
ここで、前記連結ピンの他端部は、前記連結用本体の両端部の締結孔の他の一つに結合し直径が拡大して固定されることを特徴とする。
【０００９】
この際、前記連結用本体は、一端部に前記締結孔が形成されて互いに平行に配置される一対の連通片と、前記連通片それぞれの他端部を互いに連結する円弧状の連結片と、を含み、前記連結ピンの一端部は、前記一対の連通片の一つの連通片の外側から挿入されることを特徴とする。
【００１０】
また、前記連結用本体は、一端部に前記締結孔が形成されて互いに平行に配置され、前記連結ピンの両端部を固定する一対の連通片と、前記連通片それぞれの外面から形成され、前記締結孔の縁部から内側に向かって徐々に狭く形成される傾斜案内部と、を含み、前記傾斜案内部は、前記連結ピンの一端部に形成された第１拡径部の形状に対応することを特徴とする。
【００１１】
また、前記連結ピンの他端部が前記傾斜案内部に対応して圧力を受けて変形されて、前記第１拡径部と同一の形状を有する第２拡径部が生成されることを特徴とする。
【００１２】
また、前記傾斜案内部の外側端部の直径は、前記連結ピンの外径よりも大きく、前記傾斜案内部の内側端部の直径は、前記連結ピンの外径よりも大きいか同一であることを特徴とする。
【００１３】
また、前記連結用本体と前記連結ピンが互いに結合して、ジッパースライダーと引手とを互いに連結するか、ホック連結具と連結ストラップまたは連結バンドとを互いに連結することを特徴とする。
【発明の効果】
【００１４】
前記のような構成を有する本発明によれば、次のような効果を奏することができる。
【００１５】
まず、本発明によれば、連結用本体の締結孔に連結ピンが挿入され、連結ピンの一端部に形成された第１拡径部に対して同一の形状の第２拡径部を連結ピンの他端部に形成する比較的簡単な構造でも安価で簡単な作製が可能となり、堅固な締結力の維持が可能となる。
【００１６】
したがって、本発明は、ジッパースライダーと引手とを互いに連結したり、カバンのストラップとカバンの本体とを互いに連結するなど、雑貨および各種装身具の連結具として幅広く活用することができることは言うまでもない。
【図面の簡単な説明】
【００１７】
【図１】本発明の一実施例による装身具連結用アセンブリの全体的な構成を示す分解斜視図である。
【図２】本発明の一実施例による装身具連結用アセンブリの全体的な構造を示す断面概念図である。
【図３】本発明の一実施例による装身具連結用アセンブリの締結過程を順に示す断面概念図である。
【図４】本発明の一実施例による装身具連結用アセンブリの締結過程を順に示す断面概念図である。
【図５】本発明の一実施例による装身具連結用アセンブリの締結過程を順に示す断面概念図である。
【図６】本発明の一実施例による装身具連結用アセンブリの使用状態を示す斜視図である。
【発明を実施するための形態】
【００１８】
本発明の利点および特徴、またそれらを達成する方法は、別添の図面と共に詳細に後述する実施例を参照すると明確になる。
【００１９】
しかし、本発明は、以下に開示される実施例に限定されるものではなく、互いに異なる様々な形態に具現される。
【００２０】
本明細書において、本実施例は、本発明の開示を完全にし、本発明が属する技術分野において通常の知識を有する者に発明の範疇を完全に知らせるために提供されるものである。
【００２１】
また、本発明は、請求項の範疇により定義されるだけである。
【００２２】
したがって、いくつかの実施例において、周知の構成要素、周知の動作および周知の技術は、本発明が曖昧に解釈されることを避けるために具体的に説明されない。
【００２３】
また、明細書の全体にわたり同一の参照符号は同一の構成要素を指し、本明細書において使用された（言及された）用語は実施例を説明するためのものであって、本発明を制限するためのものではない。
【００２４】
本明細書において、単数型は、文句で特に言及しない限り、複数型をも含み、「含む（または、備える）」と言及された構成要素および動作は、一つ以上の他の構成要素および動作の存在または追加を排除しない。
【００２５】
他の定義がない限り、本明細書で使用されるすべての用語（技術および科学的用語を含む）は、本発明が属する技術分野において通常の知識を有する者にとって共通して理解可能な意味に使用されることができる。
【００２６】
また、一般的に使用される辞書に定義されている用語は、定義されていない限り、理想的にまたは過剰に解釈されない。
【００２７】
以下、添付の図面を参照して本発明の好ましい実施例について説明する。
【００２８】
図１は本発明の一実施例による装身具連結用アセンブリの全体的な構成を示す分解斜視図であり、図２は本発明の一実施例による装身具連結用アセンブリの全体的な構造を示す断面概念図である。
【００２９】
本発明は、図示されたように、連結用本体１０と、連結ピン２０と、第１拡径部３１と、を含む構造であることを把握することができる。
【００３０】
連結用本体１０は、両端部に形成された締結孔１１が互いに対向して一直線上に配置される部材である。
【００３１】
連結ピン２０は、両端部が締結孔１１に結合する両端貫通の部材である。
【００３２】
第１拡径部３１は、連結ピン２０の一端部に備えられ、連結ピン２０の他端部側から一端部側に向かって徐々に直径が拡大するように形成されて、連結用本体１０の両端部の締結孔１１の一つに係止固定される部分である。
【００３３】
したがって、連結ピン２０は、連結用本体１０の締結孔１１を介して挿入され、第１拡径部３１が一側の締結孔１１に係止固定された状態で連結ピン２０の他端部が拡径されて固定される。
【００３４】
本発明は、前記のような構成の実施例を適用することができ、次のような様々な実施例の適用もまた可能であることは言うまでもない。
【００３５】
連結ピン２０の他端部は、上述のように、連結用本体１０の両端部の締結孔１１の他の一つに結合し直径が拡大して固定され、連結ピン２０の固定のための連結用本体１０は、連通片１２、１２と、連結片１４と、を含む構造であることが分かる。
【００３６】
連通片１２、１２は、一端部に締結孔１１が形成されて互いに平行に配置される一対の部材であり、連結片１４は、連通片１２、１２それぞれの他端部を互いに連結する円弧状の部材である。
【００３７】
したがって、連結ピン２０の一端部は、一対の連通片１２、１２の一つの連通片１２、１２の外側から挿入される。
【００３８】
連結用本体１０には、連結ピン２０の他端部がスムーズに案内されて挿入されることができるように連通片１２、１２それぞれの外面から形成され、締結孔１１の縁部から内側に向かって徐々に狭く形成される傾斜案内部１１ｓを形成することが好ましい。
【００３９】
ここで、傾斜案内部１１ｓは、連結ピン２０の一端部に形成された第１拡径部３１の形状に対応する。
【００４０】
この際、傾斜案内部１１ｓの外側端部の直径ｄ１は、連結ピン２０の外径ｄ３よりも大きく、傾斜案内部１１ｓの内側端部の直径ｄ２は、連結ピン２０の外径ｄ３よりも大きいか同一であることが好ましい。
【００４１】
すなわち、傾斜案内部１１ｓの上述の形状は、連結ピン２０の一端部に形成された第１拡径部３１が載置されるようにする十分な空間確保のための技術的手段と言える。
【００４２】
前記のような構成の本発明の一実施例による装身具連結用アセンブリの作製過程について、図３〜図５を参照して順に説明する。
【００４３】
参考までに、図３〜図５に表示されていない図面の符号については図１および図２を参照する。
【００４４】
まず、作業者は、連結用本体１０の連通片１２、１２それぞれに形成された締結孔１１、１１の一側の締結孔１１に、図３のように矢印方向に連結ピン２０の他端部を挿入し、締結孔１１の外側縁部には傾斜案内部１１ｓが形成されて正確な挿入位置の案内を受けることができる。
【００４５】
次に、連結ピン２０の他端部が一側の締結孔１１を貫通して図４のように貫通されると、連結ピン２０の一端部に形成された第１拡径部３１は、一側の締結孔１１に形成された傾斜案内部１１ｓに係止されて載置される。
【００４６】
次いで、作業者は、別の道具（以下、図示せず）を用いて連結ピン２０の他端部から一端部側に向かって力Ｆを透明な矢印方向に加える。
【００４７】
最終的に、連結ピン２０の他端部が、図５のように、傾斜案内部１１ｓに対応して圧力を受けて変形されて第１拡径部３１と同一の形状を有する第２拡径部３２が生成されることで、連結用本体１０に連結ピン２０が確実に固定される。
【００４８】
したがって、かかる連結用本体１０と連結ピン２０は、互いに結合して、図６のように、ジッパースライダー４０と引手５０とを互いに連結したり、特に図示されていないが、ホック連結具と連結ストラップまたは連結バンドとを互いに連結したり、カバンのストラップとカバンの本体とを互いに連結するなどの用途に幅広く活用されることができることは言うまでもない。
【産業上の利用可能性】
【００４９】
以上、本発明は、比較的簡単な構成で作製が簡単であり、堅固な締結状態の維持が可能な装身具連結用アセンブリを提供することを基本的な技術的思想としていることが分かる。
【００５０】
また、本発明の基本的な技術的思想の範疇内で当該業界において通常の知識を有する者にとって他の様々な変形および応用もまた可能であることは言うまでもない。
【図１】
2016527956.tif 000003
【図２】
2016527956.tif 000004
【図３】
2016527956.tif 000005
【図４】
2016527956.tif 000006
【図５】
2016527956.tif 000007
【図６】
2016527956.tif 000008
【国際調査報告】
2016527956.tif 000009
2016527956.tif 000010
2016527956.tif 000011
2016527956.tif 000012